(57)【要約】      （修正有）【課題】プラテン上に吐出されるインクによって記録紙が汚されることを軽減できるインクジェット記録装置を提供する。【解決手段】プラテンにおける縁無し記録領域に第１凹溝５１Ｇが設けられている。第１凹溝５１Ｇ内には、複数のインク受け部材５３が設けられている。インク受け部材５３は、記録部に向かって突出する突起である。各インク受け部材５３の突出端は、記録紙を支持する支持リブ５１Ｅの突出端よりも記録部から離れて位置されており、突出端へ向かってテーパ形状に形成されている。第１凹溝５１Ｇ内において隣り合うインク受け部材５３との間に形成される空間５３Ｄは、走査方向に沿って連続している。記録部のノズルから第１凹溝５１Ｇに吐出されたインク滴に含まれる顔料は、インク受け部材５３に付着して堆積する。【選択図】図８
2017065175.tif 000002
【特許請求の範囲】
【請求項１】
搬送方向に搬送されるシートを支持する支持部材と、
上記支持部材に対向して配置されており、上記搬送方向と交差する走査方向に移動しつつインク滴を吐出する記録部と、を具備しており、
上記支持部材は、
第１面から上記記録部に向かって突出し且つ上記搬送方向に沿って延出された複数の支持リブと、
上記第１面における縁無し記録領域に設けられており、上記記録部へ向かって突出し、突出端へ向かってテーパ形状の複数の突起と、を有しており、
上記各突起の突出端は、上記支持リブの突出端より上記記録部から離れており、
上記複数の突起の間に形成される空間は、上記走査方向に沿って連続しているインクジェット記録装置。
【請求項２】
上記突起のそれぞれは、上記走査方向に沿って延出されており、
上記複数の突起は、上記搬送方向に並んでいる請求項１に記載のインクジェット記録装置。
【請求項３】
上記突起のそれぞれは錐体形状である請求項１に記載のインクジェット記録装置。
【請求項４】
上記突起は、支持部材に支持される各サイズのシートの上記走査方向の両端付近の下方に配置されている請求項１から３のいずれかに記載のインクジェット記録装置。
【請求項５】
上記縁無し記録領域に、上記記録部から離れる方向へ凹んだ凹溝が設けられており、上記凹溝内に上記突起が設けられている請求項１から４のいずれかに記載のインクジェット記録装置。
【請求項６】
上記各突起の突出端は、上記第１面より上記記録部から離れている請求項１から５のいずれかに記載のインクジェット記録装置。
【請求項７】
上記記録部から吐出されるインクが顔料を含むものである請求項１から６のいずれかに記載のインクジェット記録装置。
【発明の詳細な説明】
【技術分野】
【０００１】
本発明は、インクを用いてシートに画像を記録するインクジェット記録装置に関する。
【背景技術】
【０００２】
インクジェット記録装置は、記録紙等のシートを支持するプラテン（支持部材）と、プラテンに対向して配置された記録部とを有する。記録部は、シートの搬送方向と交差する方向（走査方向）に往復移動するキャリッジと、当該キャリッジに搭載された記録ヘッドと、を有する。記録ヘッドは、キャリッジによって走査方向へ往復移動しつつ、プラテンに向かってインク滴を吐出する。
【０００３】
インクジェット記録装置は、シートの端まで印刷を行う、いわゆる「縁無し印刷」を実行可能である。縁無し印刷では、プラテンに支持されたシートより広い領域に対して記録ヘッドがインク滴を吐出する。したがって、シートの端より外に吐出されたインク滴は、シートに着弾することなく、プラテンに到達する。
【０００４】
特許文献１には、プラテンに凹溝状のインク受け部が設けられる構成が開示されている。インク受け部に吐出されたインクは、インク排出路を経由してインク貯留部に流れ込み、インク貯留部に配設されているインク吸収材に吸収される。
【先行技術文献】
【特許文献】
【０００５】
【特許文献１】特開２００３−１０３８４９号公報
【発明の概要】
【発明が解決しようとする課題】
【０００６】
インクジェット記録装置において使用されるインクとして顔料インクが公知である。顔料インクによって縁無し印刷が行われると、プラテンのインク受け部に吐出されたインクに含まれる顔料が、インクの液体成分と共に流出せずに、インク受け部に溜まることがある。インク受け部に溜まって堆積した顔料が、縁無し印刷の実行回数の増加に伴って増加するとシートの裏面に顔料が付着して、当該シートの裏面が顔料によって汚れるおそれがある。
【０００７】
本発明は、前述された事情に鑑みてなされたものであり、その目的は、支持部材に吐出されるインク滴によってシートの裏面を汚すおそれを軽減できるインクジェット記録装置を提供することにある。
【課題を解決するための手段】
【０００８】
本発明に係るインクジェット記録装置は、搬送方向に搬送されるシートを支持する支持部材と、上記支持部材に対向して配置されており、上記搬送方向と交差する走査方向に移動しつつインク滴を吐出する記録部と、を具備する。上記支持部材は、第１面から上記記録部に向かって突出し且つ上記搬送方向に沿って延出された複数の支持リブと、上記第１面における縁無し記録領域に設けられており、上記記録部へ向かって突出し、突出端へ向かってテーパ形状の複数の突起と、を有する。上記各突起の突出端は、上記支持リブの突出端より上記記録部から離れている。上記複数の突起の間に形成される空間は、上記走査方向に沿って連続している。
【０００９】
上記構成によれば、縁無し印刷において顔料インクのインク滴が縁無し記録領域に設けられた突起に付着する。各突起はテーパ形状なので、インク滴は、各突起の突出端より側面に付着しやすい。側面に付着したインクに含まれる顔料は、突起の側面に堆積するが、突起の側面はテーパ形状であることから、側面の下部において蓄積される。
【００１０】
記録部から吐出されるインク滴は、吐出される距離が長くなることによってインクミストが発生する確率が高まる。縁無し記録領域に各突起が設けられることによって、記録部から吐出されたインク滴は、各突起に付着することにより、移動距離が短くなる。これにより、インクミストの発生が抑制される。
【００１１】
また、発生したインクミストは、記録部の移動方向である走査方向へ流れやすい。縁無し記録領域において各突起の間に形成された空間が走査方向に沿って連続しているので、当該空間において流れるインクミストは、走査方向に対して流れが遮られない。これにより、走査方向へ流れるインクミストが記録部へ向かって流れ出すことが軽減される。なお、各突起の間に形成される空間が走査方向に沿って連続しているとは、当該空間を下方向へ視たときに、当該空間が走査方向と平行な直線的な状態で連続する態様のみに限定されない。例えば、当該空間が、走査方向に沿って蛇行するような状態、すなわち走査方向のみならず、シートの搬送方向の成分をも含んだ状態で連続する態様も含まれる。
【発明の効果】
【００１２】
本発明によれば、支持部材に吐出されるインク滴によってシートの裏面が汚されるおそれが軽減される。また、顔料インクが用いられた場合に、縁無し印刷において、シートの裏面に付着しない状態で顔料が堆積可能な容積を拡張できる。
【図面の簡単な説明】
【００１３】
【図１】図１は、本発明の実施形態の一例である複合機１０の斜視図である。
【図２】図２は、複合機１０の構成を説明するための模式図である。
【図３】図３は、プラテン５０及び排出ガイド体５２の斜視図である。
【図４】図４は、プラテン５０及び排出ガイド体５２の平面図である。
【図５】図５は、プラテン５０の斜視図である。
【図６】図６は、図４のＡ−Ａ線に沿った断面図である。
【図７】図７は、図４のＢ−Ｂ線に沿った断面図である。
【図８】図８は、複数のインク受け部材５３が設けられた第１凹溝５１Ｇ内の斜視図であり、各インク受け部材５３については断面が示されている。
【図９】図９（Ａ）は、縁無し記録領域５０Ａを説明するための模式図、図９（Ｂ）は、記録紙１２の端部に対する縁無し印刷を説明するための模式図、図９（Ｃ）は、プラテン５０に設けられた第１凹溝５１Ｇと、記録紙１２のサイズとの関係を説明するための模式図、図９（Ｄ）は、縁無し印刷におけるインク滴６１の挙動を説明するための模式図である。
【図１０】図１０は、インク受け部材５３の変形例における斜視図である。
【発明を実施するための形態】
【００１４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１５】
図１に示される複合機１０（インクジェット記録装置の一例）は、プリンタ機能、ファクシミリ機能、コピー機能等の各種の機能を有する。複合機１０は、概ね直方体形状に構成された装置本体１１と、装置本体１１の下部に対して着脱可能になった給紙トレイ１３とを有する。
【００１６】
なお、複合機１０が使用可能に設置された図１の状態を基準として、図１に示された上方向６及び下方向７、前方向８及び後方向９、右方向４及び左方向５（それぞれ、後方向９に向かって右方向及び左方向に対応）のそれぞれが定義される。以下の説明においては、定義された方向が使用される。
【００１７】
図２に示されるように、給紙トレイ１３内には、画像が記録される記録紙１２（シートの一例）が積み重ねられた状態で収容されている。給紙トレイ１３は、装置本体１１に装着された図１の状態で、前方向８に引き出し可能になっている。本実施形態では、例えば、記録紙１２としてＡ４サイズの普通紙が、長辺を前方向８及び後方向９に沿った状態とされて給紙トレイ１３内に収容される。給紙トレイ１３内のＡ４サイズの記録紙１２は、装置本体１１内に設けられた搬送路２８を搬送される。
【００１８】
この場合、記録紙１２は、長辺又は短辺の中央部が、搬送路２８における搬送方向３と直交する方向、すなわち右方向４及び左方向５における中央部に一致した状態で搬送される。なお、以下においては、記録紙１２が、長辺を搬送方向３に沿って搬送される場合を「縦搬送」と称し、記録紙１２が、短辺を搬送方向３に沿って搬送される場合を「横搬送」と称する。また、記録紙１２の中央部が、搬送路２８において右方向４及び左方向５における中央部に一致して搬送される場合を、「中央基準」と称する。
【００１９】
図２に示されるように、装置本体１１の上部には、インクジェット方式で記録紙１２に画像を記録する記録部３１が設けられている。記録部３１の下方向７には、記録紙１２を支持するプラテン５０（支持部材）が設けられている。プラテン５０上に支持された記録紙１２には、記録部３１によって画像が記録される。
【００２０】
プラテン５０と給紙トレイ１３との間には、給紙トレイ１３内の記録紙１２を搬送方向３へ向けて給紙する給紙部１５が設けられている。さらに、装置本体１１の後端部には、給紙部１５によって給紙トレイ１３から給紙される記録紙１２を、記録部３１へ案内する給紙ガイド部材１６が設けられている。
【００２１】
給紙部１５は、軸線が右方向４及び左方向５に沿って配置された給紙ローラ１５Ａを有する。給紙ローラ１５Ａは、支持アーム１５Ｂの一端部（先端部）に回転可能に支持されている。支持アーム１５Ｂの他端部（基端部）は、給紙ローラ１５Ａの軸線と平行な軸線の支持軸１５Ｃに回動可能に支持されている。給紙ローラ１５Ａは、支持アーム１５Ｂが支持軸１５Ｃを中心として下方向７に回動されると、給紙トレイ１３内における最上部の記録紙１２に当接し、上方向６に回動されると当該記録紙１２から離間する。給紙ローラ１５Ａは、動力伝達機構１５Ｄによって図示しないモータの動力が伝達されて、図２に矢印Ｄ１で示される方向に回転される。給紙ローラ１５Ａが記録紙１２に当接した状態で回転されると、記録紙１２は、給紙ガイド部材１６の下端部内に導入される。
【００２２】
給紙ガイド部材１６は、後方向９に向かって突出する円弧形状の空間を画定する。給紙ガイド部材１６の内部空間は、記録紙１２が搬送される搬送路２８の上流部分を画定している。給紙ガイド部材１６内に導入された記録紙１２は、給紙ガイド部材１６内における搬送路２８の上流部分を、中央基準で搬送される。
【００２３】
給紙ガイド部材１６とプラテン５０との間には、給紙ガイド部材１６を通過した記録紙１２をプラテン５０上に搬送する第１搬送ローラ部２１が設けられている。第１搬送ローラ部２１は、記録紙１２の上面（「画像記録面」とする）に接する１つの第１搬送ローラ２２と、第１搬送ローラ２２の下方向７に配置されて、記録紙１２の下面（「裏面」とする）に接する複数のピンチローラ２６とを有する。
【００２４】
第１搬送ローラ２２は、その軸線が右方向４及び左方向５に沿って配置されており、図示しないモータの回転が伝達されて、図２に矢印Ｄ２で示す向きに回転される。複数のピンチローラ２６は、第１搬送ローラ２２の軸線にほぼ沿って、一定の間隔を空けた状態で配置されている。各ピンチローラ２６は、第１搬送ローラ２２に対して接離可能であり、それぞれが第１搬送ローラ２２の回転に追従して回転する。
【００２５】
第１搬送ローラ２２及びピンチローラ２６の間に記録紙１２が搬送されると、記録紙１２が第１搬送ローラ２２及びピンチローラ２６に挟持（ニップ）されて、搬送方向３へ搬送され、プラテン５０上へ到達する。
【００２６】
プラテン５０における搬送方向３の下流端は、記録部３１よりも搬送方向３の下流に位置されている。プラテン５０の下流端に対して搬送方向３の下流には、排出ガイド体５２及び排出トレイ１７が搬送方向３に沿って連続して設けられている。記録紙１２の搬送路２８は、給紙ガイド部材１６の内部、第１搬送ローラ２２及びピンチローラ２６の間、プラテン５０と記録部３１との間、排出ガイド体５２上を順番に通過して、排出トレイ１７に達している。プラテン５０、排出ガイド体５２の詳細については後述される。
【００２７】
記録部３１は、プラテン５０の上方向６に配置されたキャリッジ３２を有する。キャリッジ３２は、第１ガイドフレーム３６及び第２ガイドフレーム３７上に支持されている。第１ガイドフレーム３６及び第２ガイドフレーム３７は、前方向８及び後方向９に沿って一定の間隔が空けられており、また、それぞれが右方向４及び左方向５に沿って延出されている。
【００２８】
キャリッジ３２は、第１ガイドフレーム３６及び第２ガイドフレーム３７に支持されており、右方向４及び左方向５に沿って往復移動可能である。なお、本実施形態では、キャリッジ３２が往復移動する方向（走査方向）は、搬送方向３に直交する方向であるが、走査方向は必ずしも搬送方向３と直交している必要はなく、搬送方向３と交差していればよい。
【００２９】
キャリッジ３２の下部には記録ヘッド３３が設けられている。記録ヘッド３３は、下方向７に向かってインクを吐出する複数のノズル３４を有する。各ノズル３４には、インクカートリッジ（不図示）から、顔料を含むインク、所謂顔料インクが供給される。各ノズル３４は、供給されるインクをインク滴としてプラテン５０へ向かって吐出する。
【００３０】
プラテン５０上に搬送された記録紙１２に対して記録部３１によって画像を記録する場合には、プラテン５０上において記録紙１２が所定位置に停止される。次いで、キャリッジ３２が走査方向（右方向４及び左方向５）に沿って往復移動され、この往復移動の間に、ノズル３４からインク滴が選択的に吐出される。その後は、記録紙１２の搬送方向３への間欠搬送と、記録紙１２が停止されている間のキャリッジ３２の往復移動及びノズル３４からのインク滴の選択的な吐出とが繰り返される。これにより、記録紙１２上に付着したインクによって画像が形成される。
【００３１】
プラテン５０に対して搬送方向３の下流には、排出ガイド体５２上の記録紙１２を排出トレイ１７へ搬送する第２搬送ローラ部４１が設けられている。第２搬送ローラ部４１は、記録紙１２の裏面に当接する複数の第２搬送ローラ４２Ａと、複数の第２ローラ４２Ａとそれぞれ対向して配置され、記録紙１２の画像記録面にそれぞれが当接する複数の拍車ローラ４３を有する。
【００３２】
［プラテン］
図６及び図７に示されるように、プラテン５０は、記録部３１の下方向７に位置するシート支持部５１Ａを有する。シート支持部５１Ａは、キャリッジ３２に搭載された記録ヘッド３３と対向している。シート支持部５１Ａは、搬送方向３の上流から順に、第２領域５１Ｙ、第４領域５１Ｔ、第１領域５１Ｘ、第３領域５１Ｚに分けられる。
【００３３】
第１領域５１Ｘは、キャリッジ３２が往復移動しているときに記録ヘッド３３のノズル３４と対向する領域である。したがって、第１領域５１Ｘへ向かって、ノズル３４からインク滴が吐出される。第２領域５１Ｙは、第１領域５１Ｘよりも搬送方向３の上流の領域である。第２領域５１Ｙにおいて、記録ヘッド３３からインク滴が吐出される前の記録紙１２の一部が支持される。第３領域５１Ｚは、第１領域５１Ｘよりも搬送方向３の下流の領域である。第３領域５１Ｚへ向かっても、複数のノズル３４のうち搬送方向３の下流に位置する一部のノズル３４からインク滴が吐出される。第４領域５１Ｔは、搬送方向３において第１領域５１Ｘと第２領域５１Ｙとの間に位置する領域である。
【００３４】
図３〜図６に示されるように、シート支持部５１Ａにおける第１領域５１Ｘの上面５１Ｕ（以下、「第１面５１Ｕ」とする）は、後述する第１凹溝５１Ｇが設けられた部分を除いて、一定の高さの平坦面である。また、図６及び図７に示されるように、第２領域５１Ｙの上面５１Ｖ（以下、「第２面５１Ｖ」とする）は、搬送方向３の上流端部を除いて、第１面５１Ｕと同じ高さの平坦面に構成されている。第３領域５１Ｚにおける上面５１Ｗ（以下、「第３面５１Ｗ」とする）は、第１面５１Ｕよりも低くなっている。
【００３５】
シート支持部５１Ａにおいて、搬送方向３の上流から第２面５１Ｖ、第１面５１Ｕに亘って、搬送方向３に沿った支持リブ５１Ｅが設けられている。支持リブ５１Ｅは、第２面５１Ｖ、第１面５１Ｕから上方向６（記録部３１に接近する方向、以下同様）に向かって突出している。
【００３６】
支持リブ５１Ｅは、シート支持部５１Ａの右方向４及び左方向５において間隔を空けて複数が配置されている。各支持リブ５１Ｅの配置は、シート支持部５１Ａに支持される記録紙１２の定型サイズ、すなわち右方向４及び左方向５に沿った幅を考慮して設定されている。本実施形態では、シート支持部５１Ａは、Ｌ版サイズ、はがきサイズ、Ａ５サイズ、Ｂ５サイズ、Ａ４サイズ、レターサイズが、それぞれの短辺を右方向４及び左方向５に沿った状態で支持可能である。各支持リブ５１Ｅの上面は、上方向６及び下方向７においてほぼ同じ高さである。各支持リブ５１Ｅは、これら各定型サイズの記録紙１２を、記録ヘッド３３と対向する記録面がほぼ平坦となるように適宜配置されている。
【００３７】
各支持リブ５１Ｅは、各定型サイズの記録紙１２の右方向４及び左方向５における両端部分においては、当該両端部より若干中央寄りとなる位置に配置されている。各支持リブ５１Ｅのうち、各定型サイズの記録紙１２の両端部分に最近接する支持リブ５１Ｅは、中央基準で搬送される各定型サイズの記録紙１２の両端に対してそれぞれが数ｍｍ程度中央寄りとなるように配置されている。これら各支持リブ５１Ｅの配置は、後述される縁無し印刷において、記録紙１２の両端より外方へ吐出されるインク滴の範囲や、記録紙１２が斜行し得る範囲を考慮して設定されている。
【００３８】
図３〜図５に示されるように、シート支持部５１Ａの第１領域５１Ｘには、複数の第１凹溝５１Ｇがそれぞれ設けられている。各第１凹溝５１Ｇは、第１面５１Ｕから下方向７（記録部３１から離れる方向、以下同様）へ凹んでおり、上方向６に向かって開口している。第１凹溝５１Ｇは、右方向４及び左方向５に沿った長さが搬送方向３において一定であり、第１領域５１Ｘにおける搬送方向３の全域にわたって延出されている。
【００３９】
第１凹溝５１Ｇのそれぞれは、中央基準で搬送される各定型サイズの記録紙１２の右方向４及び左方向５に沿った両端部分の下方向７に配置されている。したがって、各第１凹溝５１Ｇは、第１領域５１Ｘにおいて記録紙１２の中央基準となる基準線５５に対して線対称な配置である。
【００４０】
なお、図９（Ｃ）には、横搬送されるＬ版サイズ及びはがきサイズ、縦搬送及び横搬送されるＡ４サイズ、縦搬送されるレターサイズの記録紙１２と、第１凹溝５１Ｇのそれぞれとの関係について示されている。
【００４１】
各第１凹溝５１Ｇの右方向４及び左方向５に沿った長さは、後述される縁無し印刷において、記録紙１２の両端より外方へ吐出されるインク滴の範囲や、記録紙１２が斜行し得る範囲を考慮して設定されている。各第１凹溝５１Ｇは、縁無し印刷において、各定型サイズの記録紙１２の右方向４及び左方向５における両端の直ぐ外方の直下の位置を含んでいる。したがって、縁無し印刷において、記録紙１２の右方向４及び左方向５における両端の外方へ吐出されるインク滴は、各第１凹溝５１Ｇへ向かう。
【００４２】
シート支持部５１Ａにおける第３領域５１Ｚには、右方向４及び左方向５に沿って全体に亘って第２凹溝５１Ｊがそれぞれ設けられている。第２凹溝５１Ｊは、第２面５１Ｖ及び第３面５１Ｗからそれぞれ下方向７へ凹んでおり、上方向６に向かって開口している。各第２凹溝５１Ｊの右方向４及び左方向５に沿った長さは、中央基準で搬送される最大サイズの記録紙１２、本実施形態ではレターサイズの記録紙１２の右方向４及び左方向５に沿った幅より広い。第２凹溝５１Ｊの搬送方向３に沿った長さは、縁無し印刷において、記録紙１２の搬送方向３の上流端及び下流より外方へ吐出されるインク滴の範囲や、記録紙１２が斜行し得る範囲を考慮して設定されている。
【００４３】
各第１凹溝５１Ｇ及び第２凹溝５１Ｊのそれぞれは、配置や寸法が異なる他は同様の構成であるので、以下、１つの第１凹溝５１Ｇを例に詳細な構成が説明される。
【００４４】
図７，８に示されるように、第１凹溝５１Ｇは、平坦な底面５１Ｈを有する。底面５１Ｈには、インク受け部材５３（突起の一例）が設けられている。インク受け部材５３は、上方向６に向かって突出する断面が三角形の突起である。インク受け部材５３は、底面５１Ｈにおいて、右方向４及び左方向５に沿って延出されている。また、複数のインク受け部材５３が、搬送方向３に沿って並んで配置されている。
【００４５】
各インク受け部材５３は、第１凹溝５１Ｇにおける右方向４及び左方向５の全域にわたって連続するように延出されている。インク受け部材５３は、搬送方向３の下流及び上流であって上方向６を向く２つの側面５３Ｃを有する。インク受け部材５３は、２つの側面５３Ｃによって、突出端（上方向６）へ向かうテーパ形状であり、搬送方向３に沿った断面形状が、二等辺三角形である。
【００４６】
各インク受け部材５３は、底面５１Ｈから突出端までの長さが等しい。したがって、各インク受け部材５３の突出端は、底面５１Ｈに平行な１つの仮想平面内に位置する。各インク受け部材５３の突出端は、支持リブ５１Ｅの突出端よりも下方向７に位置しており、また、本実施形態では、第１領域５１Ｘにおける第１面５１Ｕよりも下方向７に位置している。
【００４７】
搬送方向３において隣り合うインク受け部材５３の間には、一対の側面５３Ｃによって画定されて右方向４及び左方向５に沿って延びる空間５３Ｄが形成されている。各空間５３Ｄは、第１凹溝５１Ｇにおける右方向４及び左方向５の全域にわたって連続している。
【００４８】
図３〜図５に示されるように、シート支持部５１Ａの第３領域５１Ｚには、それぞれが搬送方向３に沿って上方向６に突出した複数本の補助リブ５１Ｍが設けられている。補助リブ５１Ｍは、支持リブ５１Ｅよりも個数が少ない。また、補助リブ５１Ｍの上面は、支持リブ５１Ｅの上面より下方向７に位置する。
【００４９】
［排出ガイド体５２及び第２搬送ローラ部４１］
図６及び図７に示されるように、排出ガイド体５２は、第２ローラ軸４２Ｂに対して搬送方向３の下流に設けられた平板状の排出ガイド本体５２Ｂと、排出ガイド本体５２Ｂに対して搬送方向３の上流に設けられた上流ガイド部５２Ａとを有する。シート支持部５１Ａより搬送方向３の下流には、記録紙１２を搬送方向３へ搬送する第２搬送ローラ部４１の第２ローラ軸４２Ｂが、右方向４及び左方向５に沿って配置されている。排出ガイド本体５２Ｂは、第２ローラ軸４２Ｂよりも搬送方向３の下流に配置されており、上流ガイド部５２Ａの下流端と同じ高さになっている。
【００５０】
図５に示されるように、第２搬送ローラ部４１は、右方向４及び左方向５に沿って配置された第２ローラ軸４２Ｂに、右方向４及び左方向５に沿って一定の間隔を空けて設けられた複数（８個）の第２搬送ローラ４２Ａを有する。なお、前述されたように、第２搬送ローラ部４１は、第２搬送ローラ４２Ａに対向して配置された複数の拍車ローラ４３（図２参照）を有するが、図３〜図７においては省略されている。画像が記録された記録紙１２は、第２搬送ローラ４２Ａと拍車ローラ４３とによって排出トレイ１７上に排出される。
【００５１】
［縁無し印刷］
本実施形態の複合機１０は、四角形の記録紙１２の各端（右方向４及び左方向５における両端、並びに搬送方向３の下流端及び上流端）のそれぞれの近傍に余白を設けて印刷する通常印刷と、記録紙１２の各端まで印刷する縁無し印刷との両方が実行可能である。縁無し印刷においては、図９（Ａ）に示されるように、プラテン５０のシート支持部５１Ａ上に支持された記録紙１２よりも広い領域５０Ａ、すなわち記録紙１２の各端の外方までインク滴が吐出される。
【００５２】
なお、シート支持部５１Ａにおいて、縁無し印刷において記録紙１２の外方へインク滴が吐出される各領域５０Ａが「縁無し記録領域５０Ａ」と称される。縁無し記録領域５０Ａは、例えば右方向４及び左方向５における両端であれば、当該両端から右方向４又は左方向５へ数ｍｍ程度外方の範囲に設定される。また、縁無し記録領域５０Ａは、中央基準で搬送される記録紙１２の位置ズレや斜行、ノズル３４から吐出されるインク滴の到達位置のずれ等も考慮されて設定される。各第１凹溝５１Ｇは、少なくとも縁無し記録領域５０Ａを含む位置に配置されている。
【００５３】
また、記録紙１２における搬送方向３の下流端及び上流端に対する縁無し記録領域５０Ａは、最大サイズの記録紙１２の右方向４及び左方向５の両端位置より外方に亘って延出されている。また、当該縁無し記録領域５０Ａの搬送方向３に沿った長さは、記録紙の下流端及び上流端のそれぞれに対して縁無し印刷を行うときの記録紙１２の位置、使用されるノズル３４の位置、記録紙１２の斜行、ノズル３４から吐出されるインク滴の到達位置のずれ等を考慮して設定される。
【００５４】
以下、記録紙１２の右方向４及び左方向５の両端に対して縁無し印刷が実行される場合を例に、第１凹溝５１Ｇの作用が説明される。記録紙１２は、中央基準によりプラテン５０のシート支持部５１Ａ上を搬送されて、記録紙１２の搬送方向３の下流端が、シート支持部５１Ａの第３領域５１Ｚに到達する。このとき、記録紙１２の搬送方向３の下流端に対して縁無し印刷が実行されるが、ここでは詳細な説明が省略される。また、後述される記録紙１２の右方向４及び左方向５の両端への縁無し印刷が実行された後、記録紙１２の搬送方向３の上流端が、シート支持部５１Ａの第３領域５１Ｚに到達して、記録紙１２の搬送方向３の上流端に対して縁無し印刷が実行されるが、その詳細な説明もここでは省略される。
【００５５】
記録紙１２の右方向４及び左方向５の両端が、プラテン５０のシート支持部５１Ａの第１領域５１Ｘにあるときに、当該両端に対して縁無し印刷が実行される。図９（Ｂ）に示されるように、記録紙１２の右端１２Ａは、右端１２Ａに最も近接する支持リブ５１Ｅよりも右方向４へ突出しており、その下方向７には、第１凹溝５１Ｇが位置する。
【００５６】
記録紙１２の搬送が停止されると、記録部３１におけるキャリッジ３２が右方向４及び左方向５に沿って往復移動されるとともに、ノズル３４から顔料インクのインク滴が記録紙１２へ向かって選択的に吐出される。縁無し印刷においては、記録紙１２の両端よりも外方にもインク滴が吐出される。したがって、記録紙１２に着弾しなかったインク滴は、記録紙１２よりも下方向７へ向かって、第１凹溝５１Ｇへ進入する。
【００５７】
第１凹溝５１Ｇには、複数のインク受け部材５３が右方向４及び左方向５に沿って設けられているので、第１凹溝５１Ｇに進入したインク滴のほとんどは、空間５３Ｄへ進入して、いずれかのインク受け部材５３の側面５３Ｃに到達する。側面５３Ｃに到達したインク滴は、重力の作用により側面５３Ｃに沿って底面５１Ｈへ向かって流れ落ちる。
【００５８】
各インク受け部材５３の側面５３Ｃに沿って流れ落ちたインク滴は、空間５３Ｄの底面５１Ｈ付近に溜まる。溜まったインク滴における液体成分は、経時的に蒸発するか、空間５３Ｄからインクが流出可能な液体流路が形成されている場合には、その液体流路に沿って流出する。空間５３Ｄに溜まったインク滴の液体成分が蒸発すると、顔料が空間５３Ｄに残留する。また、空間５３Ｄから液体流路に沿ってインクが流出したとしても、液体成分より流動性が悪い顔料は空間５３Ｄに残留しやすい。
【００５９】
図８に符号６３で例示されるように、縁無し印刷が繰り返し実行されることにより、空間５３Ｄには顔料が堆積される。空間５３Ｄは、上方向６へ向かって搬送方向３に沿った長さが長くなるように広がっているので、空間５３Ｄに堆積可能な顔料は、上方向６へ向かって多くなる。これにより、第１凹溝５３Ｇに堆積可能な顔料の量を比較的多くすることができ、その結果、縁無し印刷の実行回数が増加しても、顔料が、記録紙１２の裏面に付着することが軽減される。
【００６０】
他方、第１凹溝５１Ｇに進入するインク滴６１は、記録紙１２の記録面に着弾するインク滴よりも、ノズル３４から吐出されてから下方向７へ向かって移動する距離が長くなる。これにより、インク滴６１が崩壊して多数の微少な液滴となって浮遊するインクミストが発生するおそれが高まる。
【００６１】
また、インク滴が吐出されるノズル３４が設けられたキャリッジ３２は、右方向４及び左方向５に沿って移動する。このために、図９（Ｄ）に示されるように、ノズル３４に対して下方向７に存在する気流は、キャリッジ３２の移動方向に沿って、矢印７１で示される方向に流動する。インク滴６１が崩壊して生成されたインクミストは、気流により流動する。なお、図９（Ｄ）には、インクミストの流れが矢印７０で示されている。
【００６２】
第１凹溝５３Ｇには、インク受け部材５３が設けられているので、空間５３Ｄへ進入したインク滴６１は、底面５１Ｈへ到達する前に、インク受け部材５３の側面５３Ｃに着弾する。つまり、底面５１Ｈへ到達するまでの移動距離より短い距離で側面５３Ｃにインク滴６１が付着するので、第１凹溝５３Ｇにおけるインクミストの発生が抑制される。
【００６３】
第１凹溝５１Ｇ内においてインクミストが発生した場合、インクミストは、気流によって右方向４及び左方向５に沿って流動する。第１凹溝５１Ｇにおいては、空間５３Ｄが右方向４及び左方向５に沿って延出されているので、空間５３Ｄにおいて流動するインクミストの流れ７０を遮る部材、例えば、搬送方向３に沿って延びる壁などの部材が存在しない。したがって、インクミストの流れ７０は、空間５３Ｄにおいて部材に遮られないことによって、図９（Ｄ）に矢印７０Ｂで示されるように上方向６へ巻き上げられることが抑制される。これにより、インクミストは、図９（Ｄ）に矢印７０Ａで示されるように自然落下する可能性が高い。その結果、第１凹溝５１Ｇの上方向６に位置された記録紙１２にインクミストが付着することが軽減される。
【００６４】
［本実施形態の作用効果］
このように、シート支持部５１Ａの第１凹溝５１Ｇ及び第２凹部５１Ｊ内にインク受け部材５３が設けられることにより、顔料を、インク受け部材５３の間に形成される空間５３Ｄ内に効率よく蓄積することができる。これにより、記録紙１２の裏面に顔料が付着することが抑制される。また、顔料インクによる縁無し印刷の実行回数が増加した場合に、記録紙１２に付着しない状態で堆積可能な顔料の容積を拡張することができる。
【００６５】
各インク受け部材５３は、右方向４及び左方向５に沿って延出されており、複数のインク受け部材５３は、搬送方向３に沿って並んでいる。これにより、第１凹溝５１Ｇ及び第２凹部５１Ｊにおけるインクミストの発生を抑制できる。
【００６６】
各インク受け部材５３の突出端は、シート支持部５１Ａの第１領域５１Ｘにおける第１面５１Ｕ、あるいは、第３領域５１Ｚにおける第３面５１Ｗよりも低くなっている。これにより、第１凹溝５１Ｇ及び第２凹部５１Ｊ内における顔料が、記録紙１２に付着することなく堆積可能な容量をさらに拡張することができる。
【００６７】
第１凹溝５１Ｇ及び第２凹部５１Ｊが設けられることにより、インクミストの発生する確率が高くなり得る。しかし、第１凹溝５１Ｇ及び第２凹部５１Ｊ内に設けられたインク受け部材５３により、右方向４及び左方向５（走査方向）に沿って連続する空間５３Ｄが形成されるために、インクミストが上方向６に巻き上げられることを抑制できる。これにより、記録紙１２の裏面にインクミストが付着することが軽減される。
【００６８】
なお、インク受け部材５３の間に形成される空間５３Ｄは、必ずしも、第１凹溝５１Ｇ及び第２凹部５１Ｊにおける右方向４及び左方向５の全域にわたって連続している必要はない。空間５３Ｄは、インクミストが、空間５３Ｄ内を右方向４及び左方向５に沿って流動する際に、自然落下によってインク受け部材５３の側面５３Ｃ、第１凹溝５１Ｇ又は第２凹溝５１Ｊの底面５１Ｈに付着することが可能な長さにわたって、右方向４及び左方向５に連続していればよい。
【００６９】
［変形例］
第１凹溝５１Ｇ及び第２凹溝５１Ｊ内に設けられるインク受け部材５３の形状は、前述された実施形態に示されるように右方向４及び左方向５に沿って一体に延出される構成に限らない。例えば、図１０に示されるように、インク受け部材５３は、円錐体形状に形成された複数のインク受け部材５３によって構成されてもよい。各インク受け部材５３は、それぞれ同様の形状及び大きさになっている。このようなインク受け部材５３が、第１凹溝５１Ｇ及び第２凹溝５１Ｊの底面５１Ｈ上に、右方向４及び左方向５と搬送方向３とのそれぞれに沿って列状に配置される。この場合も、搬送方向３に沿って隣り合うインク受け部材５３の間には、右方向４及び左方向５に沿って連続した空間５３Ｄが形成される。
【００７０】
本変形例では、隣り合うインク受け部材５３の間に形成される空間５３Ｄが、右方向４及び左方向５だけでなく、搬送方向３にも連通する。このため、インクミストが生じて、右方向４及び左方向５に沿って流動する場合に、図１０において２点鎖線で例示されるインクミストの流れ７０は、右方向４及び左方向５に沿って隣り合うインク受け部材５３の間も通過することが可能である。これにより、インクミストがインク受け部材５３の周面に付着する確率が高くなり、インクミストが記録紙１２の裏面に付着する可能性がさらに軽減される。
【００７１】
［他の変形例］
インク受け部材（突起）５３は、突出端に向かってテーパ形状になっていればよい。このために、右方向４及び左方向５に延出されるインク受け部材５３の横断面は、図８に示されるような三角形状である必要はなく、菱形形状等の多角形状であってもよい。また、右方向４及び左方向５に沿って連続している必要はなく、断続的に形成されてもよい。さらに、各インク受け部材５３は、図１０に示されるような円錐体形状に限らず、角錐体形状等であってもよい。
【００７２】
また、空間５３Ｄは、右方向４及び左方向５に沿って直線的な状態で連続する態様のみに限定されない。例えば、空間５３Ｄを下方向７へ視たときに、当該空間５３Ｄが、右方向４及び左方向５に沿って蛇行するような状態、すなわち、空間５３Ｄが連続する方向は、右方向４及び左方向５のみならず前方向８及び後方向９の成分をも含む態様であってもよい。このために、例えば、各インク受け部材５３は、搬送方向３に沿って突出する凸部と、搬送方向３に沿って凹んだ凹部とが、右方向４及び左方向５に沿って繰り返されたジグザグ状の側面５３Ｃを有する構成とされる。この場合、隣り合う側面５３Ｃ同士は、一方の側面５３Ｃの凹部内に他方の側面５３Ｃの凸部が間隔を空けて嵌合される。これにより、ジグザグ状の空間５３Ｄが形成される。
【００７３】
また、上記実施形態では、プラテン５０の第１領域５１Ｘにおける縁無し記録領域に第１凹溝５１Ｇ及び第２凹部５１Ｊを設けて、当該第１凹溝５１Ｇ及び第２凹部５１Ｊ内にインク受け部材５３を設ける構成であったが、このような構成に限らない。例えば、シート支持部５１Ａの第１領域５１Ｘに第１凹溝５１Ｇを設けずに、当該第１領域５１Ｘの第１面５１Ｕにおける縁無し記録領域上に、インク受け部材５３を設ける構成としてもよい。
【００７４】
さらに、上記実施形態では、シート支持部５１Ａにおける第３領域５１Ｚの一部に、第２凹部５１Ｊを設けて、当該第２凹溝５１Ｊを設ける構成に限らない。例えば、第３領域５１Ｚの全体を、第１領域５１Ｘに設けられた第１凹溝５１Ｇの底面５１Ｈよりも低くなるように構成して、第３領域５１Ｚにおける補助リブ５１Ｍが設けられた部分を除いた全面にわたって、インク受け部材５３を設ける構成としてもよい。
【００７５】
また、上記実施形態では、記録紙１２が中央基準で搬送される場合について説明したが、このような構成に限らない。すなわち、記録紙１２における搬送方向３と直交する方向の一端を、搬送路２８における搬送方向とは直交する方向の一端に一致させて搬送する構成であってもよい。
【符号の説明】
【００７６】
１２・・・・記録紙
３１・・・・記録部
３４・・・・ノズル
５０・・・・プラテン（支持部材）
５１Ａ・・・シート支持部
５１Ｅ・・・支持リブ
５１Ｇ・・・第１凹溝
５１Ｈ・・・底面
５１Ｊ・・・第２凹溝
５１Ｕ・・・第１面
５１Ｘ・・・第１領域
５３・・・・インク受け部材（突起）
５３Ｃ・・・側面
５３Ｄ・・・空間
【図１】
2017065175.tif 000003
【図２】
2017065175.tif 000004
【図３】
2017065175.tif 000005
【図４】
2017065175.tif 000006
【図５】
2017065175.tif 000007
【図６】
2017065175.tif 000008
【図７】
2017065175.tif 000009
【図８】
2017065175.tif 000010
【図９】
2017065175.tif 000011
【図１０】
2017065175.tif 000012